(57)【要約】【課題】所定エリア内の通信を適切に規制しつつ、ベアラの確立に伴う無線端末側の消費電力の増加を抑える。【解決手段】基地局は、確立部と、中継部と、受付部と、中継制御部とを有する。確立部は、無線端末からの要求に応じて、無線端末とコアネットワーク装置とを接続するベアラを確立する。中継部は、ベアラを用いて、無線端末とコアネットワーク装置との間でユーザデータを中継する。受付部は、通信を規制するか否かを示すコマンドを受け付ける。中継制御部は、通信を規制する旨を示すコマンドが受け付けられた場合に、ベアラを維持した状態で、中継部によって中継されるべきユーザデータを破棄する。【選択図】図２
2018026678.tif 000002
【特許請求の範囲】
【請求項１】
無線端末からの要求に応じて、前記無線端末とコアネットワーク装置とを接続するベアラを確立する確立部と、
前記ベアラを用いて、前記無線端末と前記コアネットワーク装置との間でユーザデータを中継する中継部と、
通信を規制するか否かを示すコマンドを受け付ける受付部と、
前記通信を規制する旨を示すコマンドが受け付けられた場合に、前記ベアラを維持した状態で、前記中継部によって中継されるべき前記ユーザデータを破棄する中継制御部と
を有することを特徴とする基地局。
【請求項２】
前記受付部は、
所定の条件を示す情報をさらに受け付け、
前記中継制御部は、
前記通信を規制する旨を示すコマンドが受け付けられた場合に、前記中継部によって中継されるべき前記ユーザデータが前記所定の条件を満たすか否かを判定し、当該ユーザデータが前記所定の条件を満たすと判定された場合に、当該ユーザデータを破棄せず、当該ユーザデータの中継を前記中継部に継続させることを特徴とする請求項１に記載の基地局。
【請求項３】
前記受付部は、
緊急を示す情報を含むユーザデータを用いた通信を例外的に許可するか否かを示す情報を前記所定の条件を示す情報として受け付け、
前記中継制御部は、
前記通信を規制する旨を示すコマンドが受け付けられ、かつ、前記緊急を示す情報を含むユーザデータを用いた通信を例外的に許可する旨を示す情報が受け付けられた場合に、前記中継部によって中継されるべき前記ユーザデータが前記緊急を示す情報を含むか否かを判定し、当該ユーザデータが前記緊急を示す情報を含むと判定された場合に、当該ユーザデータを破棄せず、当該ユーザデータの中継を前記中継部に継続させることを特徴とする請求項２に記載の基地局。
【請求項４】
前記受付部は、
特定の無線端末を識別するための情報を前記所定の条件を示す情報として受け付け、
前記中継制御部は、
前記通信を規制する旨を示すコマンドが受け付けられた場合に、前記中継部によって中継されるべき前記ユーザデータが前記特定の無線端末から送信されたか否かを判定し、当該ユーザデータが前記特定の無線端末から送信されたと判定された場合に、当該ユーザデータを破棄せず、当該ユーザデータの中継を前記中継部に継続させることを特徴とする請求項２又は３に記載の基地局。
【請求項５】
前記受付部は、
特定のアプリケーションを識別するための情報を前記所定の条件を示す情報として受け付け、
前記中継制御部は、
前記通信を規制する旨を示すコマンドが受け付けられた場合に、前記中継部によって中継されるべき前記ユーザデータが前記特定のアプリケーションに使用されるか否かを判定し、当該ユーザデータが前記特定のアプリケーションに使用されると判定された場合に、当該ユーザデータを破棄せず、当該ユーザデータの中継を前記中継部に継続させることを特徴とする請求項２〜４のいずれか一つに記載の基地局。
【請求項６】
基地局が、
無線端末からの要求に応じて、前記無線端末とコアネットワーク装置とを接続するベアラを確立し、
前記ベアラを用いて、前記無線端末と前記コアネットワーク装置との間でユーザデータを中継し、
通信を規制するか否かを示すコマンドを受け付け、
前記通信を規制する旨を示すコマンドが受け付けられた場合に、前記ベアラを維持した状態で、前記中継されるべき前記ユーザデータを破棄する
処理を行うことを特徴とする通信規制方法。
【発明の詳細な説明】
【技術分野】
【０００１】
本発明は、基地局及び通信規制方法に関する。
【背景技術】
【０００２】
近年、セキュリティ向上の観点から、所定エリア内に存在する無線端末による通信を規制する無線通信システムに関する技術開発が進められている。このような無線通信システムとしては、例えば、所定エリアに設置された基地局が、所定エリア内に存在する無線端末に対して制御信号を送信することによって、無線端末における電波の送受信を停止する無線通信システムが知られている。
【先行技術文献】
【特許文献】
【０００３】
【特許文献１】特開２０１４−６４１０８号公報
【発明の概要】
【発明が解決しようとする課題】
【０００４】
しかしながら、所定エリア内に存在する無線端末における電波の送受信を停止すると、所定エリア内の通信が一律に規制されるので、災害時の通信が困難となる。このため、所定エリア内に存在する無線端末における電波の送受信を停止することは、現実的ではない。
【０００５】
そこで、例えば所定エリアの周囲に隔壁を設置して、無線端末から発せられる電波や無線端末へ向かう電波を隔壁により遮断することが考えられる。しかし、電波が完全に遮断されると、所定エリア内に存在する無線端末は、無線端末とコアネットワーク装置とを接続するベアラの確立を要求するアタッチ要求を所定エリア外の他の基地局に対して繰り返し発信することとなる。このため、無線端末側の消費電力が増加してしまう。
【０００６】
このように、所定エリア内に存在する無線端末による通信を規制する際には、所定エリア内の通信を適切に規制しつつ、ベアラの確立に伴う無線端末側の消費電力の増加を抑えることが困難であるという問題がある。
【０００７】
開示の技術は、上記に鑑みてなされたものであって、所定エリア内の通信を適切に規制しつつ、ベアラの確立に伴う無線端末側の消費電力の増加を抑えることができる基地局及び通信規制方法を提供することを目的とする。
【課題を解決するための手段】
【０００８】
本願の開示する基地局は、一つの態様において、確立部と、中継部と、受付部と、中継制御部とを有する。前記確立部は、無線端末からの要求に応じて、前記無線端末とコアネットワーク装置とを接続するベアラを確立する。前記中継部は、前記ベアラを用いて、前記無線端末と前記コアネットワーク装置との間でユーザデータを中継する。前記受付部は、通信を規制するか否かを示すコマンドを受け付ける。前記中継制御部は、前記通信を規制する旨を示すコマンドが受け付けられた場合に、前記ベアラを維持した状態で、前記中継部によって中継されるべき前記ユーザデータを破棄する。
【発明の効果】
【０００９】
本願の開示する基地局の一つの態様によれば、所定エリア内の通信を適切に規制しつつ、ベアラの確立に伴う無線端末側の消費電力の増加を抑えることができるという効果を奏する。
【図面の簡単な説明】
【００１０】
【図１】図１は、実施例１の基地局を含む無線通信システムの一例を示す図である。
【図２】図２は、実施例１の基地局の一例を示すブロック図である。
【図３】図３は、Ｃプレーンパケットのデータ構造の一例を示す図である。
【図４】図４は、Ｕプレーンパケットのデータ構造の一例を示す図である。
【図５】図５は、設定情報保持部に保存される設定情報の一例を示す図である。
【図６】図６は、実施例１のアタッチ処理における無線通信システムの動作の一例を示すシーケンス図である。
【図７】図７は、実施例１の上りリンクのＵプレーンパケットの中継時における無線通信システムの動作の一例を示すシーケンス図である。
【図８】図８は、実施例１の下りリンクのＵプレーンパケットの中継時における無線通信システムの動作の一例を示すシーケンス図である。
【図９】図９は、実施例２の基地局の一例を示すブロック図である。
【図１０】図１０は、例外情報保持部に保存される例外情報の一例を示す図である。
【図１１】図１１は、実施例２のアタッチ処理における無線通信システムの動作の一例を示すシーケンス図である。
【図１２】図１２は、実施例２の上りリンクのＵプレーンパケットの中継時における無線通信システムの動作の一例を示すシーケンス図である。
【図１３】図１３は、実施例２の下りリンクのＵプレーンパケットの中継時における無線通信システムの動作の一例を示すシーケンス図である。
【図１４】図１４は、基地局のハードウェア構成の一例を示す図である。
【発明を実施するための形態】
【００１１】
以下に、本願の開示する基地局及び通信規制方法の実施例を図面に基づいて詳細に説明する。なお、この実施例により開示技術が限定されるものではない。
【実施例１】
【００１２】
＜無線通信システム＞
図１は、実施例１の基地局３０を含む無線通信システム１０の一例を示す図である。無線通信システム１０は、図１に示すように、無線端末２０、基地局３０及びコアネットワーク１１を有する。コアネットワーク１１は、インターネットやＩＭＳ（IP  Multimedia  Subsystem）ネットワーク等の外部ネットワーク７０に接続される。無線端末２０は、基地局３０及びコアネットワーク１１を介して外部ネットワーク７０に接続される。無線通信システム１０は、例えばＬＴＥ（Long  Term  Evolution）等の無線ネットワークを用いて構成される。
【００１３】
無線端末２０は、所定エリアＡ内に存在し、基地局３０と無線通信を行う。所定エリアＡは、例えば、基地局３０の管理者が必要に応じて通信の規制を望むエリアである。
【００１４】
基地局３０は、所定エリアＡに概ね一致する通信エリアを有する。基地局３０は、所定エリアＡ内に存在する無線端末２０からの要求に応じて、無線端末２０と、コアネットワーク１１側の装置であるコアネットワーク装置とを接続するベアラを確立する。そして、基地局３０は、確立されたベアラを用いて、無線端末２０とコアネットワーク装置との間でユーザデータを中継する。
【００１５】
コアネットワーク１１は、ＭＭＥ（Mobility  Management  Entity）４０、ＳＧＷ（Serving  GateWay）５０及びＰＧＷ（Packet  data  network  GateWay）６０を有する。ＳＧＷ５０及びＰＧＷ６０は、コアネットワーク装置の一例である。
【００１６】
ＭＭＥ４０は、基地局３０を収容し、コアネットワーク１１全体の管理等を行う。ＳＧＷ５０は、基地局３０を収容し、基地局３０とコアネットワーク１１との間のパケット転送等の処理を行う。ＰＧＷ６０は、外部ネットワーク７０を収容し、ＳＧＷ５０と外部ネットワーク７０との間のパケット転送等の処理を行う。
【００１７】
このような状況の下で、基地局３０は、所定エリアＡ内の通信を規制するか否かを示すコマンドを受け付ける。そして、基地局３０は、所定エリアＡ内の通信を規制する旨を示すコマンドが受け付けられた場合に、ベアラを維持した状態で、中継されるべきユーザデータを破棄する。
【００１８】
これにより、基地局３０の管理者は、所定エリアＡ内の通信を自由に規制することができるとともに、災害時には、所定エリアＡ内の通信の規制を解除することができる。また、所定エリアＡ内の通信が規制される場合でも、無線端末２０とコアネットワーク装置とを接続するベアラが維持されるので、所定エリアＡ内に存在する無線端末２０は、ベアラの確立を要求するアタッチ要求を所定エリアＡ外の他の基地局に発信することはない。結果として、所定エリアＡ内の通信を適切に規制しつつ、ベアラの確立に伴う無線端末２０側の消費電力の増加を抑えることができる。
【００１９】
＜基地局＞
図２は、実施例１の基地局３０の一例を示すブロック図である。基地局３０は、図２に示すように、アンテナ３１ａ、無線通信部３１、パケット分配部３２、有線通信部３３、パケット分配部３４、ベアラ確立部３５、中継部３６、入力制御部３７、設定情報保持部３８及び中継制御部３９を有する。
【００２０】
無線通信部３１は、ベアラ確立部３５及び中継部３６から入力されるパケットに対して符号化や変調等の処理を行い、得られた信号をアップコンバートして、アンテナ３１ａを介して無線端末２０へ送信する。また、無線通信部３１は、アンテナ３１ａを介して無線端末２０から受信した信号をダウンコンバートし、復調及び復号等の処理を行い、得られたパケットをパケット分配部３２へ出力する。
【００２１】
パケット分配部３２は、無線通信部３１から入力されるパケットが制御メッセージを含むＣプレーンパケットである場合には、そのＣプレーンパケットをベアラ確立部３５へ出力する。また、パケット分配部３２は、無線通信部３１から入力されるパケットがユーザデータを含むＵプレーンパケットである場合には、そのＵプレーンパケットを中継部３６へ出力する。ここで、図３及び図４を用いて、Ｃプレーンパケット及びＵプレーンパケットのデータ構造を説明する。
【００２２】
図３は、Ｃプレーンパケットのデータ構造の一例を示す図である。図３に示すように、Ｃプレーンパケットには、ＩＰ（Internet  Protocol）ヘッダ、ＴＣＰ（Transmission  
Control  Protocol）ヘッダ及びＧＴＰ（General  packet  radio  service  Tunnel  Protocol）ヘッダが含まれる。また、Ｃプレーンパケットには、メッセージタイプ、ＴＥＩＤ（Tunnel  Endpoint  IDentifier）、ＩＭＳＩ（International  Mobile  Subscriber  Identity）及び制御メッセージが含まれる。メッセージタイプは、制御メッセージのタイプを示す。ＴＥＩＤは、コアネットワーク１１において無線端末２０を識別するための識別子である。ＩＭＳＩは、無線端末２０に予め割り当てられた識別子である。制御メッセージは、無線端末２０とコアネットワーク装置とを接続するベアラの確立に用いられるメッセージである。また、制御メッセージには、ユーザ払出ＩＰアドレス及びＧＷアドレスが含まれる。ユーザ払出ＩＰアドレスは、コアネットワーク１１において無線端末２０に一時的に払い出されるＩＰアドレスである。ＧＷアドレスは、コアネットワーク１１におけるＳＧＷ５０及びＰＧＷ６０のＩＰアドレスである。
【００２３】
図４は、Ｕプレーンパケットのデータ構造の一例を示す図である。図４に示すように、Ｕプレーンパケットには、ＩＰヘッダ、ＵＤＰ（User  Datagram  Protocol）ヘッダ及びＧＴＰヘッダが含まれる。また、Ｕプレーンパケットには、メッセージタイプ、ＴＥＩＤ、ＩＭＳＩ及びユーザデータが含まれる。メッセージタイプは、ユーザデータが緊急を示す情報を含むか否かを示す値を保持する。また、ユーザデータには、ポート番号が含まれる。ポート番号は、ユーザデータを使用するアプリケーションを識別するための識別情報である。なお、ここでは、ユーザデータを使用するアプリケーションを識別するための識別情報として、ポート番号を用いたが、アプリケーションに固有の他の情報が用いられても良い。
【００２４】
図２の説明に戻る。有線通信部３３は、コアネットワーク１１に接続される。有線通信部３３は、ベアラ確立部３５及び中継部３６から入力されるパケットをコアネットワーク１１へ送信する。また、有線通信部３３は、コアネットワーク１１から受信したパケットをパケット分配部３４へ出力する。
【００２５】
パケット分配部３４は、有線通信部３３から入力されるパケットが制御メッセージを含むＣプレーンパケットである場合には、そのＣプレーンパケットをベアラ確立部３５へ出力する。また、パケット分配部３４は、有線通信部３３から入力されるパケットがユーザデータを含むＵプレーンパケットである場合には、そのＵプレーンパケットを中継部３６へ出力する。
【００２６】
ベアラ確立部３５は、無線端末２０から送信され無線通信部３１によって受信される制御メッセージの一例であるアタッチ要求をＣプレーンパケットから取得する。ベアラ確立部３５は、取得したアタッチ要求に応じて、無線端末２０、ＭＭＥ４０、ＳＧＷ５０及びＰＧＷ６０との間で所定の制御メッセージを送受信することにより、アタッチ処理を行う。これにより、基地局３０と無線端末２０との間の無線区間に無線ベアラが確立され、基地局３０、ＳＧＷ５０及びＰＧＷ６０の間の有線区間にＵプレーンベアラが確立される。これにより、無線ベアラ及びＵプレーンベアラを介して、無線端末２０と、コアネットワーク装置の一例であるＰＧＷ６０とが接続される。無線ベアラ及びＵプレーンベアラは、無線端末２０とコアネットワーク装置とを接続するベアラの一例である。
【００２７】
中継部３６は、無線ベアラ及びＵプレーンベアラを用いて、無線端末２０とコアネットワーク装置との間でユーザデータを中継する。具体的には、中継部３６は、無線端末２０から送信され無線ベアラを介して無線通信部３１によって受信されるＵプレーンパケットの入力をパケット分配部３２から受け、Ｕプレーンパケットからユーザデータを抽出する。そして、中継部３６は、抽出したユーザデータを含むＵプレーンパケットを新たに構築し、構築したＵプレーンパケットを有線通信部３３及びＵプレーンベアラを介してＳＧＷ５０へ送信する。また、中継部３６は、ＳＧＷ５０から送信されＵプレーンベアラを介して有線通信部３３によって受信されるＵプレーンパケットの入力をパケット分配部３４か受け、Ｕプレーンパケットからユーザデータを抽出する。そして、中継部３６は、抽出したユーザデータを含むＵプレーンパケットを新たに構築し、構築したＵプレーンパケットを無線通信部３１及び無線ベアラを介して無線端末２０へ送信する。なお、中継部３６は、パケット分配部３２又はパケット分配部３４からＵプレーンパケットの入力を受けた場合に、Ｕプレーンパケットの受信を中継制御部３９に通知する。
【００２８】
入力制御部３７は、基地局３０の図示しない入力インタフェースから、所定エリアＡ内の通信を規制するか否かを示すコマンドを受け付ける。そして、入力制御部３７は、受け付けたコマンドの内容を示す情報を設定情報として設定情報保持部３８に保存する。入力制御部３７は、受付部の一例である。
【００２９】
設定情報保持部３８に保存される設定情報には、所定エリアＡ内の通信を規制する処理（以下「通信規制処理」と呼ぶ）に用いられる情報が含まれる。図５は、設定情報保持部３８に保存される設定情報の一例を示す図である。設定情報保持部３８が保持する設定情報には、図５に示すように、実行フラグ３６１が含まれる。
【００３０】
実行フラグ３６１は、通信規制処理が実行されるか否かを制御するためのフラグである。入力制御部３７によって所定エリアＡ内の通信を規制する旨を示すコマンドが受け付けられた場合には、実行フラグ３６１に「ＯＮ」が設定され、通信規制処理が実行される。一方、入力制御部３７によって所定エリアＡ内の通信を規制しない旨を示すコマンドが受け付けられた場合には、実行フラグ３６１に「ＯＦＦ」が設定され、通信規制処理は実行されない。
【００３１】
図２の説明に戻る。中継制御部３９は、中継部３６におけるユーザデータの中継を制御する。すなわち、中継制御部３９は、Ｕプレーンパケットの受信を中継部３６から通知された場合に、設定情報保持部３８内の設定情報を参照する。そして、中継制御部３９は、実行フラグに通信規制処理を実行する旨を示す「ＯＮ」が設定されている場合には、ベアラを維持した状態で、中継部３６によって中継されるべきユーザデータ（Ｕプレーンパケット）を破棄する。また、中継制御部３９は、実行フラグに通信規制処理を実行しない旨を示す「ＯＦＦ」が設定されている場合には、ユーザデータ（Ｕプレーンパケット）の破棄を行わず、中継部３６におけるユーザデータの中継を継続させる。
【００３２】
＜無線通信システムの動作＞
次に、無線通信システム１０の動作について説明する。図６は、実施例１のアタッチ処理における無線通信システム１０の動作の一例を示すシーケンス図である。
【００３３】
図６に示すように、無線端末２０は、アタッチ要求（Attach  Request）を基地局３０へ送信する（Ｓ１０１）。基地局３０のベアラ確立部３５は、アタッチ要求に応じて、無線端末２０、ＭＭＥ４０、ＳＧＷ５０及びＰＧＷ６０との間でアタッチ処理を行う。すなわち、ベアラ確立部３５は、無線端末２０から受信したアタッチ要求をＭＭＥ４０へ送信する（Ｓ１０２）。
【００３４】
ＭＭＥ４０は、ベアラ設定要求（Create  Session  Request）をＳＧＷ５０へ送信する（Ｓ１０３）。ＳＧＷ５０は、ＭＭＥ４０から受信したベアラ設定要求をＰＧＷ６０へ送信する（Ｓ１０４）。ＰＧＷ６０は、ベアラ設定応答（Create  Session  Response）をＳＧＷ５０へ送信する（Ｓ１０５）。ＳＧＷ５０は、ＰＧＷ６０から受信したベアラ設定応答をＭＭＥ４０へ送信する（Ｓ１０６）。ＭＭＥ４０は、アタッチ受入（Attach  Accept）を基地局３０へ送信する（Ｓ１０７）。
【００３５】
基地局３０のベアラ確立部３５は、ＭＭＥ４０から受信したアタッチ受入を無線端末２０へ送信する（Ｓ１０８）。無線端末２０は、アタッチ完了（Attach  Complete）を基地局３０へ送信する（Ｓ１０９）。基地局３０のベアラ確立部３５は、無線端末２０から受信したアタッチ完了をＭＭＥ４０へ送信する（Ｓ１１０）。
【００３６】
ＭＭＥ４０は、ベアラ更新要求（Modify  Bearer  Request）をＳＧＷ５０へ送信する（Ｓ１１１）。ＳＧＷ５０は、ベアラ更新応答（Modify  Bearer  Response）をＭＭＥ４０へ送信する（Ｓ１１２）。これにより、基地局３０と無線端末２０との間の無線区間に無線ベアラが確立され、基地局３０、ＳＧＷ５０及びＰＧＷ６０の間の有線区間にＵプレーンベアラが確立される。
【００３７】
図７は、実施例１の上りリンクのＵプレーンパケットの中継時における無線通信システム１０の動作の一例を示すシーケンス図である。本シーケンス図では、アタッチ処理は完了しており、かつ、無線ベアラ及びＵプレーンベアラが確立した状態から処理がスタートする。
【００３８】
図７に示すように、無線端末２０は、上りリンクのユーザデータが発生した場合に、そのユーザデータを含むＵプレーンパケットを基地局３０へ送信する（Ｓ１２１）。
【００３９】
基地局３０の中継制御部３９は、Ｕプレーンパケットの受信を中継部３６から通知された場合に、設定情報保持部３８内の設定情報を参照して、実行フラグに「ＯＮ」が設定されているか否かを判定する（Ｓ１２２）。
【００４０】
実行フラグに「ＯＦＦ」が設定されている場合、つまり、所定エリアＡ内の通信を規制しない旨を示すコマンドが受け付けられた場合（Ｓ１２２Ｎｏ）、中継制御部３９は、Ｕプレーンパケットの破棄を行わず、中継部３６におけるユーザデータの中継を継続させる。これにより、ユーザデータを含むＵプレーンパケットが中継部３６によって新たに構築され、構築されたＵプレーンパケットがＵプレーンベアラを介してＰＧＷ６０へ送信される（Ｓ１２３）。
【００４１】
一方、実行フラグに「ＯＮ」が設定されている場合、つまり、所定エリアＡ内の通信を規制する旨を示すコマンドが受け付けられた場合（Ｓ１２２Ｙｅｓ）、中継制御部３９は、中継されるべきユーザデータ（Ｕプレーンパケット）を破棄する（Ｓ１２４）。
【００４２】
図８は、実施例１の下りリンクのＵプレーンパケットの中継時における無線通信システム１０の動作の一例を示すシーケンス図である。本シーケンス図では、アタッチ処理は完了しており、かつ、無線ベアラ及びＵプレーンベアラが確立した状態から処理がスタートする。
【００４３】
図８に示すように、ＰＧＷ６０は、下りリンクのユーザデータが発生した場合に、そのユーザデータを含むＵプレーンパケットを基地局３０へ送信する（Ｓ１３１）。
【００４４】
基地局３０の中継制御部３９は、Ｕプレーンパケットの受信を中継部３６から通知された場合に、設定情報保持部３８内の設定情報を参照して、実行フラグに「ＯＮ」が設定されているか否かを判定する（Ｓ１３２）。
【００４５】
実行フラグに「ＯＦＦ」が設定されている場合、つまり、所定エリアＡ内の通信を規制しない旨を示すコマンドが受け付けられた場合（Ｓ１３２Ｎｏ）、中継制御部３９は、Ｕプレーンパケットの破棄を行わず、中継部３６におけるユーザデータの中継を継続させる。これにより、ユーザデータを含むＵプレーンパケットが中継部３６によって新たに構築され、構築されたＵプレーンパケットが無線ベアラを介して無線端末２０へ送信される（Ｓ１３３）。
【００４６】
一方、実行フラグに「ＯＮ」が設定されている場合、つまり、所定エリアＡ内の通信を規制する旨を示すコマンドが受け付けられた場合（Ｓ１３２Ｙｅｓ）、中継制御部３９は、中継されるべきユーザデータ（Ｕプレーンパケット）を破棄する（Ｓ１３４）。
【００４７】
以上のように本実施例によれば、基地局３０は、所定エリアＡ内の通信を規制するか否かを示すコマンドを受け付ける。そして、基地局３０は、所定エリアＡ内の通信を規制する旨を示すコマンドが受け付けられた場合に、ベアラを維持した状態で、中継されるべきユーザデータを破棄する。
【００４８】
この基地局３０の構成により、基地局３０の管理者は、所定エリアＡ内の通信を自由に規制することができるとともに、災害時には、所定エリアＡ内の通信の規制を解除することができる。また、所定エリアＡ内の通信が規制される場合でも、無線端末２０とコアネットワーク装置とを接続するベアラが維持されるので、所定エリアＡ内に存在する無線端末２０は、ベアラの確立を要求するアタッチ要求を所定エリアＡ外の他の基地局に発信することはない。結果として、所定エリアＡ内の通信を適切に規制しつつ、ベアラの確立に伴う無線端末２０側の消費電力の増加を抑えることができる。
【実施例２】
【００４９】
実施例２では、所定エリアＡ内の通信を規制する旨を示すコマンドが受け付けられた場合でも、中継されるべきユーザデータが所定の条件を満たす場合には、当該ユーザデータの中継を継続する点が、実施例１とは異なる。
【００５０】
＜基地局＞
図９は、実施例２の基地局１３０の一例を示すブロック図である。なお、以下に説明する点を除き、図９において、図２と同じ符号を付したブロックは、図２におけるブロックと同様の機能を有するため、重複する説明を省略する。
【００５１】
基地局１３０は、図９に示すように、入力制御部１３７、例外情報保持部１３８及び中継制御部１３９を有する。
【００５２】
入力制御部１３７は、図２に示した入力制御部３７と同様に、基地局１３０の図示しない入力インタフェースから、所定エリアＡ内の通信を規制するか否かを示すコマンドを受け付ける。そして、入力制御部１３７は、受け付けたコマンドの内容を示す情報を設定情報として設定情報保持部３８に保存する。
【００５３】
また、入力制御部１３７は、基地局１３０の図示しない入力インタフェースから、所定の条件を示す情報を受け付ける。例えば、入力制御部１３７は、緊急を示す情報を含むユーザデータを用いた通信を例外的に許可するか否かを示す情報を所定の条件を示す情報として受け付ける。また、例えば、入力制御部１３７は、特定の無線端末を識別するための情報を所定の条件を示す情報として受け付ける。特定の無線端末とは、通信規制処理の実行中に所定エリアＡ内の通信が例外的に許可された無線端末である。特定の無線端末を識別するための情報は、例えば、ＩＭＳＩ等である。また、例えば、入力制御部１３７は、特定のアプリケーションを識別するための情報を所定の条件を示す情報として受け付ける。特定のアプリケーションとは、通信規制処理の実行中に所定エリアＡ内の通信が例外的に許可されたアプリケーションである。特定のアプリケーションを識別するための情報は、例えば、ポート番号である。入力制御部１３７は、受け付けた所定の条件を示す情報を例外情報として例外情報保持部１３８に保存する。入力制御部１３７は、受付部の一例である。
【００５４】
例外情報保持部１３８に保存される例外情報には、通信規制処理の実行中に、ユーザデータの中継を例外的に継続するか否かを判定するために用いられる情報が含まれる。図１０は、例外情報保持部１３８に保存される例外情報の一例を示す図である。例外情報保持部１３８が保持する例外情報には、図１０に示すように、緊急フラグ３８１、例外ユーザ３８２及び例外アプリケーション３８３が含まれる。
【００５５】
緊急フラグ３８１は、緊急を示す情報を含むユーザデータを用いた通信を例外的に許可するか否かを示す情報である。緊急を示す情報を含むユーザデータを用いた通信を例外的に許可する旨を示す情報が入力制御部１３７によって受け付けられた場合には、緊急フラグ３８１に「ＯＮ」が設定され、緊急を示す情報を含むユーザデータの中継が継続される。緊急を示す情報を含むユーザデータを用いた通信を許可しない旨を示す情報が入力制御部１３７によって受け付けられた場合には、緊急フラグ３８１に「ＯＦＦ」が設定され、緊急を示す情報を含むユーザデータが破棄される。
【００５６】
例外ユーザ３８２は、特定の無線端末を識別するための情報であり、例えば、ＩＭＳＩ等である。ＩＭＳＩ以外の他の情報としては、例えば、ＴＥＩＤ、ユーザ払出ＩＰアドレス及びＧＷアドレス等が挙げられる。例外アプリケーション３８３は、特定のアプリケーションを識別するための情報であり、例えば、ポート番号である。
【００５７】
図９の説明に戻る。中継制御部１３９は、Ｕプレーンパケットの受信を中継部３６から通知された場合に、設定情報保持部３８内の設定情報を参照する。そして、中継制御部１３９は、実行フラグに通信規制処理を実行する旨を示す「ＯＮ」が設定されている場合には、例外情報保持部１３８内の例外情報を参照する。そして、中継制御部１３９は、中継部３６によって中継されるべきユーザデータ（Ｕプレーンパケット）が所定の条件を満たすか否かを判定する。中継制御部１３９は、中継部３６によって中継されるべきユーザデータが所定の条件を満たすと判定された場合に、当該ユーザデータを破棄せず、当該ユーザデータの中継を中継部３６に継続させる。
【００５８】
例えば、中継制御部１３９は、実行フラグに通信規制処理を実行する旨を示す「ＯＮ」が設定され、かつ、緊急フラグに緊急を示す情報を含むユーザデータを用いた通信を例外的に許可する旨を示す「ＯＮ」が設定されている場合に、以下の処理を行う。すなわち、中継制御部１３９は、中継部３６によって中継されるべきユーザデータが緊急を示す情報を含むか否かを判定する。この判定は、例えばＵプレーンパケットに含まれるメッセージタイプの値を用いて行われる。中継制御部１３９は、中継部３６によって中継されるべきユーザデータが緊急を示す情報を含むと判定された場合に、当該ユーザデータを破棄せず、当該ユーザデータの中継を中継部３６に継続させる。
【００５９】
＜無線通信システムの動作＞
次に、無線通信システム１０の動作について説明する。図１１は、実施例２のアタッチ処理における無線通信システム１０の動作の一例を示すシーケンス図である。
【００６０】
図１１に示すように、基地局１３０の入力制御部１３７は、基地局１３０の図示しない入力インタフェースから特定の無線端末のＩＭＳＩを受け付け、受け付けたＩＭＳＩを例外情報として例外情報保持部１３８に保存する（Ｓ１４１）。
【００６１】
無線端末２０は、アタッチ要求（Attach  Request）を基地局１３０へ送信する（Ｓ１４２）。無線端末２０から送信されるアタッチ要求には、無線端末２０のＩＭＳＩが含まれる。基地局１３０のベアラ確立部３５は、アタッチ要求に応じて、無線端末２０、ＭＭＥ４０、ＳＧＷ５０及びＰＧＷ６０との間でアタッチ処理を行う。すなわち、ベアラ確立部３５は、無線端末２０から受信したアタッチ要求に無線端末２０のＴＥＩＤを付加し、ＴＥＩＤ及びＩＭＳＩを含むアタッチ要求をＭＭＥ４０へ送信する（Ｓ１４３）。
【００６２】
ＭＭＥ４０は、基地局１３０から受信したアタッチ要求に含まれるＴＥＩＤを抽出する。そして、ＭＭＥ４０は、抽出されたＴＥＩＤと、ＰＧＷ６０のＧＷアドレスとを含むベアラ設定要求（Create  Session  Request）をＳＧＷ５０へ送信する（Ｓ１４４）。ＳＧＷ５０は、ＭＭＥ４０から受信したベアラ設定要求をＰＧＷ６０へ送信する（Ｓ１４５）。ＰＧＷ６０は、ＰＧＷ６０のＧＷアドレスと、ユーザ払出ＩＰアドレスとを含むベアラ設定応答（Create  Session  Response）をＳＧＷ５０へ送信する（Ｓ１４６）。ＳＧＷ５０は、ＰＧＷ６０から受信したベアラ設定応答をＭＭＥ４０へ送信する（Ｓ１４７）。ＭＭＥ４０は、ＳＧＷ５０から受信したベアラ設定応答に含まれるＰＧＷ６０のＧＷアドレスとユーザ払出ＩＰアドレスとを抽出する。そして、ＭＭＥ４０は、ＳＧＷ５０及びＰＧＷ６０のＧＷアドレスと、ユーザ払出ＩＰアドレスと、ＴＥＩＤとを含むアタッチ受入（Attach  Accept）を基地局１３０へ送信する（Ｓ１４８）。
【００６３】
基地局１３０は、無線端末２０から受信したアタッチ要求に含まれるＩＭＳＩを用いて、無線端末２０が特定の無線端末であるか否かを判定する。具体的には、基地局１３０は、アタッチ要求に含まれるＩＭＳＩが、例外情報保持部１３８に保持されるか否かを判定する。そして、基地局１３０は、アタッチ要求に含まれるＩＭＳＩが、例外情報保持部１３８に保持される場合、当該アタッチ要求が特定の無線端末からの要求であると判定する。そして、基地局１３０は、ＭＭＥ４０から受信したアタッチ受入に含まれるＳＧＷ５０及びＰＧＷ６０のＧＷアドレス、ユーザ払出ＩＰアドレス、及びＴＥＩＤをＩＭＳＩに対応付けて例外情報として例外情報保持部１３８に保存する（Ｓ１４９）。
【００６４】
基地局１３０のベアラ確立部３５は、ＭＭＥ４０から受信したアタッチ受入を無線端末２０へ送信する（Ｓ１５０）。無線端末２０は、アタッチ完了（Attach  Complete）を基地局１３０へ送信する（Ｓ１５１）。基地局１３０のベアラ確立部３５は、無線端末２０から受信したアタッチ完了をＭＭＥ４０へ送信する（Ｓ１５２）。
【００６５】
ＭＭＥ４０は、ベアラ更新要求（Modify  Bearer  Request）をＳＧＷ５０へ送信する（Ｓ１５３）。ＳＧＷ５０は、ベアラ更新応答（Modify  Bearer  Response）をＭＭＥ４０へ送信する（Ｓ１５４）。これにより、基地局１３０と無線端末２０との間の無線区間に無線ベアラが確立され、基地局１３０、ＳＧＷ５０及びＰＧＷ６０の間の有線区間にＵプレーンベアラが確立される。
【００６６】
図１２は、実施例２の上りリンクのＵプレーンパケットの中継時における無線通信システム１０の動作の一例を示すシーケンス図である。本シーケンス図では、アタッチ処理が完了しており、かつ、無線ベアラ及びＵプレーンベアラが確立した状態から処理がスタートする。
【００６７】
図１２に示すように、無線端末２０は、上りリンクのユーザデータが発生した場合に、そのユーザデータを含むＵプレーンパケットを基地局１３０へ送信する（Ｓ１６１）。
【００６８】
基地局１３０の中継制御部１３９は、Ｕプレーンパケットの受信を中継部３６から通知された場合に、設定情報保持部３８内の設定情報を参照して、実行フラグに「ＯＮ」が設定されているか否かを判定する（Ｓ１６２）。
【００６９】
実行フラグに「ＯＦＦ」が設定されている場合、つまり、所定エリアＡ内の通信を規制しない旨を示すコマンドが受け付けられた場合（Ｓ１６２Ｎｏ）、中継制御部１３９は、Ｕプレーンパケットの破棄を行わず、中継部３６におけるユーザデータの中継を継続させる。これにより、ユーザデータを含むＵプレーンパケットが中継部３６によって新たに構築され、構築されたＵプレーンパケットがＵプレーンベアラを介してＰＧＷ６０へ送信される（Ｓ１６３）。
【００７０】
一方、実行フラグに「ＯＮ」が設定されている場合、つまり、所定エリアＡ内の通信を規制する旨を示すコマンドが受け付けられた場合（Ｓ１６２Ｙｅｓ）、中継制御部１３９は、例外情報保持部１３８内の例外情報を参照する。そして、中継制御部１３９は、緊急フラグに緊急を示す情報を含むユーザデータを用いた通信を例外的に許可する旨を示す「ＯＮ」が設定されているか否かを判定する（Ｓ１６４）。
【００７１】
緊急フラグに「ＯＦＦ」が設定されている場合、つまり、緊急を示す情報を含むユーザデータを用いた通信を許可しない旨を示す情報が入力制御部１３７によって受け付けられた場合（Ｓ１６４Ｎｏ）、中継制御部１３９は、以下の処理を行う。すなわち、中継制御部１３９は、中継されるべきユーザデータ（Ｕプレーンパケット）を破棄する（Ｓ１６５）。
【００７２】
一方、緊急フラグに「ＯＮ」が設定されている場合、つまり、緊急を示す情報を含むユーザデータを用いた通信を例外的に許可する旨を示す情報が入力制御部１３７によって受け付けられた場合（Ｓ１６４Ｙｅｓ）、中継制御部１３９は、以下の処理を行う。すなわち、中継制御部１３９は、中継部３６によって中継されるべきユーザデータが緊急を示す情報を含むか否かを判定する（Ｓ１６６）。
【００７３】
中継制御部１３９は、中継部３６によって中継されるべきユーザデータが緊急を示す情報を含む場合（Ｓ１６６Ｙｅｓ）、当該ユーザデータを破棄せず、当該ユーザデータの中継を中継部３６に継続させる。これにより、ユーザデータを含むＵプレーンパケットが中継部３６によって新たに構築され、構築されたＵプレーンパケットがＵプレーンベアラを介してＰＧＷ６０へ送信される（Ｓ１６７）。
【００７４】
一方、中継制御部１３９は、中継部３６によって中継されるべきユーザデータが緊急を示す情報を含まない場合（Ｓ１６６Ｎｏ）、処理をＳ１６８へ移行する。
【００７５】
中継制御部１３９は、中継部３６によって中継されるべきユーザデータが特定の無線端末から送信されたか否かを判定する（Ｓ１６８）。具体的には、中継制御部１３９は、例外情報保持部１３８内の例外情報を参照して、Ｕプレーンパケットに含まれるＩＭＳＩが、例外情報保持部１３８に保持されるか否かを判定する。そして、中継制御部１３９は、Ｕプレーンパケットに含まれるＩＭＳＩが、例外情報保持部１３８に保持される場合、中継部３６によって中継されるべきユーザデータが特定の無線端末から送信されたと判定する。一方、中継制御部１３９は、Ｕプレーンパケットに含まれるＩＭＳＩが、例外情報保持部１３８に保持されない場合、中継部３６によって中継されるべきユーザデータが特定の無線端末から送信されていないと判定する。なお、ここでは、Ｕプレーンパケットに含まれるＩＭＳＩが、例外情報保持部１３８に保持されるか否かが判定されたが、他の情報（つまり、ＴＥＩＤ、ユーザ払出ＩＰアドレス及びＧＷアドレス）が例外情報保持部１３８に保持されるか否かが判定されも良い。
【００７６】
中継制御部１３９は、中継部３６によって中継されるべきユーザデータが特定の無線端末から送信されたと判定した場合（Ｓ１６８Ｙｅｓ）、当該ユーザデータを破棄せず、当該ユーザデータの中継を中継部３６に継続させる。これにより、ユーザデータを含むＵプレーンパケットが中継部３６によって新たに構築され、構築されたＵプレーンパケットがＵプレーンベアラを介してＰＧＷ６０へ送信される（Ｓ１６９）。
【００７７】
一方、中継制御部１３９は、中継部３６によって中継されるべきユーザデータが特定の無線端末から送信されていないと判定した場合（Ｓ１６８Ｎｏ）、処理をＳ１７０へ移行する。
【００７８】
中継制御部１３９は、中継部３６によって中継されるべきユーザデータが特定のアプリケーションに使用されるか否かを判定する（Ｓ１７０）。具体的には、中継制御部１３９は、例外情報保持部１３８内の例外情報を参照して、ユーザデータに含まれるポート番号が、例外情報保持部１３８に保持されるか否かを判定する。そして、中継制御部１３９は、ユーザデータに含まれるポート番号が、例外情報保持部１３８に保持される場合、中継部３６によって中継されるべきユーザデータが特定のアプリケーションに使用されると判定する。一方、中継制御部１３９は、ユーザデータに含まれるポート番号が、例外情報保持部１３８に保持されない場合、中継部３６によって中継されるべきユーザデータが特定のアプリケーションに使用されないと判定する。
【００７９】
中継制御部１３９は、中継部３６によって中継されるべきユーザデータが特定のアプリケーションに使用されると判定した場合（Ｓ１７０Ｙｅｓ）、当該ユーザデータを破棄せず、当該ユーザデータの中継を中継部３６に継続させる。これにより、ユーザデータを含むＵプレーンパケットが中継部３６によって新たに構築され、構築されたＵプレーンパケットがＵプレーンベアラを介してＰＧＷ６０へ送信される（Ｓ１７１）。
【００８０】
一方、中継制御部１３９は、中継部３６によって中継されるべきユーザデータが特定のアプリケーションに使用されないと判定した場合（Ｓ１７０Ｎｏ）、当該ユーザデータ（Ｕプレーンパケット）を破棄する（Ｓ１７２）。
【００８１】
図１３は、実施例２の下りリンクのＵプレーンパケットの中継時における無線通信システム１０の動作の一例を示すシーケンス図である。本シーケンス図では、アタッチ処理が完了しており、かつ、無線ベアラ及びＵプレーンベアラが確立した状態から処理がスタートする。
【００８２】
図１３に示すように、ＰＧＷ６０は、下りリンクのユーザデータが発生した場合に、そのユーザデータを含むＵプレーンパケットを基地局１３０へ送信する（Ｓ１８１）。
【００８３】
基地局１３０の中継制御部１３９は、Ｕプレーンパケットの受信を中継部３６から通知された場合に、設定情報保持部３８内の設定情報を参照して、実行フラグに「ＯＮ」が設定されているか否かを判定する（Ｓ１８２）。
【００８４】
実行フラグに「ＯＦＦ」が設定されている場合、つまり、所定エリアＡ内の通信を規制しない旨を示すコマンドが受け付けられた場合（Ｓ１８２Ｎｏ）、中継制御部１３９は、以下の処理を行う。すなわち、中継制御部１３９は、Ｕプレーンパケットの破棄を行わず、中継部３６におけるユーザデータの中継を継続させる。これにより、ユーザデータを含むＵプレーンパケットが中継部３６によって新たに構築され、構築されたＵプレーンパケットが無線ベアラを介して無線端末２０へ送信される（Ｓ１８３）。
【００８５】
一方、実行フラグに「ＯＮ」が設定されている場合、つまり、所定エリアＡ内の通信を規制する旨を示すコマンドが受け付けられた場合（Ｓ１８２Ｙｅｓ）、中継制御部１３９は、例外情報保持部１３８内の例外情報を参照する。そして、中継制御部１３９は、緊急フラグに緊急を示す情報を含むユーザデータを用いた通信を例外的に許可する旨を示す「ＯＮ」が設定されているか否かを判定する（Ｓ１８４）。
【００８６】
緊急フラグに「ＯＦＦ」が設定されている場合、つまり、緊急を示す情報を含むユーザデータを用いた通信を許可しない旨を示す情報が入力制御部１３７によって受け付けられた場合（Ｓ１８４Ｎｏ）、中継制御部１３９は、以下の処理を行う。すなわち、中継制御部１３９は、中継されるべきユーザデータ（Ｕプレーンパケット）を破棄する（Ｓ１８５）。
【００８７】
一方、緊急フラグに「ＯＮ」が設定されている場合、つまり、緊急を示す情報を含むユーザデータを用いた通信を例外的に許可する旨を示す情報が入力制御部１３７によって受け付けられた場合（Ｓ１８４Ｙｅｓ）、中継制御部１３９は、以下の処理を行う。すなわち、中継制御部１３９は、中継部３６によって中継されるべきユーザデータが緊急を示す情報を含むか否かを判定する（Ｓ１８６）。
【００８８】
中継制御部１３９は、中継部３６によって中継されるべきユーザデータが緊急を示す情報を含む場合（Ｓ１８６Ｙｅｓ）、当該ユーザデータを破棄せず、当該ユーザデータの中継を中継部３６に継続させる。これにより、ユーザデータを含むＵプレーンパケットが中継部３６によって新たに構築され、構築されたＵプレーンパケットが無線ベアラを介して無線端末２０へ送信される（Ｓ１８７）。
【００８９】
一方、中継制御部１３９は、中継部３６によって中継されるべきユーザデータが緊急を示す情報を含まない場合（Ｓ１８６Ｎｏ）、処理をＳ１８８へ移行する。
【００９０】
中継制御部１３９は、中継部３６によって中継されるべきユーザデータが特定の無線端末から送信されたか否かを判定する（Ｓ１８８）。具体的には、中継制御部１３９は、例外情報保持部１３８内の例外情報を参照して、Ｕプレーンパケットに含まれるＩＭＳＩが、例外情報保持部１３８に保持されるか否かを判定する。そして、中継制御部１３９は、Ｕプレーンパケットに含まれるＩＭＳＩが、例外情報保持部１３８に保持される場合、中継部３６によって中継されるべきユーザデータが特定の無線端末から送信されたと判定する。一方、中継制御部１３９は、Ｕプレーンパケットに含まれるＩＭＳＩが、例外情報保持部１３８に保持されない場合、中継部３６によって中継されるべきユーザデータが特定の無線端末から送信されていないと判定する。なお、ここでは、Ｕプレーンパケットに含まれるＩＭＳＩが、例外情報保持部１３８に保持されるか否かが判定されたが、他の情報（つまり、ＴＥＩＤ、ユーザ払出ＩＰアドレス及びＧＷアドレス）が例外情報保持部１３８に保持されるか否かが判定されも良い。
【００９１】
中継制御部１３９は、中継部３６によって中継されるべきユーザデータが特定の無線端末から送信されたと判定した場合（Ｓ１８８Ｙｅｓ）、当該ユーザデータを破棄せず、当該ユーザデータの中継を中継部３６に継続させる。これにより、ユーザデータを含むＵプレーンパケットが中継部３６によって新たに構築され、構築されたＵプレーンパケットが無線ベアラを介して無線端末２０へ送信される（Ｓ１８９）。
【００９２】
一方、中継制御部１３９は、中継部３６によって中継されるべきユーザデータが特定の無線端末から送信されていないと判定した場合（Ｓ１８８Ｎｏ）、処理をＳ１９０へ移行する。
【００９３】
中継制御部１３９は、中継部３６によって中継されるべきユーザデータが特定のアプリケーションに使用されるか否かを判定する（Ｓ１９０）。具体的には、中継制御部１３９は、例外情報保持部１３８内の例外情報を参照して、ユーザデータに含まれるポート番号が、例外情報保持部１３８に保持されるか否かを判定する。そして、中継制御部１３９は、ユーザデータに含まれるポート番号が、例外情報保持部１３８に保持される場合、中継部３６によって中継されるべきユーザデータが特定のアプリケーションに使用されると判定する。一方、中継制御部１３９は、ユーザデータに含まれるポート番号が、例外情報保持部１３８に保持されない場合、中継部３６によって中継されるべきユーザデータが特定のアプリケーションに使用されないと判定する。
【００９４】
中継制御部１３９は、中継部３６によって中継されるべきユーザデータが特定のアプリケーションに使用されると判定した場合（Ｓ１９０Ｙｅｓ）、当該ユーザデータを破棄せず、当該ユーザデータの中継を中継部３６に継続させる。これにより、ユーザデータを含むＵプレーンパケットが中継部３６によって新たに構築され、構築されたＵプレーンパケットが無線ベアラを介して無線端末２０へ送信される（Ｓ１９１）。
【００９５】
一方、中継制御部１３９は、中継部３６によって中継されるべきユーザデータが特定のアプリケーションに使用されないと判定した場合（Ｓ１９０Ｎｏ）、当該ユーザデータ（Ｕプレーンパケット）を破棄する（Ｓ１９２）。
【００９６】
以上のように本実施例によれば、基地局１３０は、所定の条件を示す情報を受け付ける。そして、基地局１３０は、所定エリアＡ内の通信を規制する旨を示すコマンドが受け付けられた場合に、中継されるべきユーザデータが所定の条件を満たすか否かを判定する。そして、基地局１３０は、当該ユーザデータが所定の条件を満たすと判定された場合に、当該ユーザデータを破棄せず、当該ユーザデータの中継を継続する。
【００９７】
この基地局１３０の構成により、所定エリアＡ内の通信が規制される場合でも、所定の条件を満たすユーザデータの中継を例外的に継続することができる。結果として、所定エリアＡ内の通信の規制を解除することなく、所望の通信のみを自動的に許容することができる。
【００９８】
＜他の実施例＞
（１）実施例１及び２では、無線通信システム１０において基地局３０及び基地局１３０が、中継されるべきユーザデータ（Ｕプレーンパケット）を破棄する例を説明したが、開示技術はこれには限られない。例えば、基地局３０及び基地局１３０に代わってコアネットワーク装置が、中継されるべきユーザデータ（Ｕプレーンパケット）を破棄しても良い。この場合、コアネットワーク装置として、コアネットワーク１１内のＳＧＷ５０が用いられ、設定情報や例外情報等が基地局３０及び基地局１３０からＳＧＷ５０へ通知される。
【００９９】
また、例えば、コアネットワーク１１にダミーのＳＧＷが設置される場合に、基地局３０及び基地局１３０に代わってダミーのＳＧＷが、中継されるべきユーザデータ（Ｕプレーンパケット）を破棄しても良い。この場合、基地局３０及び基地局１３０は、中継されるべきユーザデータ（Ｕプレーンパケット）をダミーのＳＧＷに転送する。
【０１００】
（２）実施例１及び２で図示した各部の各構成要素は、必ずしも物理的に図示の如く構成されていることを要しない。すなわち、各部の分散・統合の具体的形態は図示のものに限られず、その全部又は一部を、各種の負荷や使用状況等に応じて、任意の単位で機能的又は物理的に分散・統合して構成することができる。
【０１０１】
さらに、各装置で行われる各種処理機能は、ＣＰＵ（Central  Processing  Unit）（又はＭＰＵ（Micro  Processing  Unit）、ＭＣＵ（Micro  Controller  Unit）等のマイクロ・コンピュータ）上で、その全部又は任意の一部を実行するようにしてもよい。また、各種処理機能は、ＣＰＵ（又はＭＰＵ、ＭＣＵ等のマイクロ・コンピュータ）で解析実行するプログラム上、又はワイヤードロジックによるハードウェア上で、その全部又は任意の一部を実行するようにしてもよい。
【０１０２】
実施例１の基地局は、例えば、次のようなハードウェア構成により実現することができる。
【０１０３】
図１４は、基地局３０のハードウェア構成の一例を示す図である。基地局３０は、例えば図１４に示すように、アンテナ３１ａ、無線通信モジュール３０１、ユーザインタフェース回路３０２、メモリ３０３、プロセッサ３０４及びネットワークインタフェース回路３０５を有する。プロセッサ３０４の一例としては、ＣＰＵ、ＤＳＰ（Digital  Signal  Processor）、ＦＰＧＡ（Field  Programmable  Gate  Array）等が挙げられる。また、メモリ３０３の一例としては、ＳＤＲＡＭ（Synchronous  Dynamic  Random  Access  Memory）等のＲＡＭ（Random  Access  Memory）、ＲＯＭ（Read  Only  Memory）、フラッシュメモリ等が挙げられる。パケット分配部３２、パケット分配部３４、ベアラ確立部３５、中継部３６及び中継制御部１３９は、例えば、プロセッサ３０４により実現される。設定情報保持部３８は、例えば、メモリ３０３により実現される。無線通信部３１は、例えば、プロセッサ３０４及び無線通信モジュール３０１により実現される。有線通信部３３は、例えば、プロセッサ３０４及びネットワークインタフェース回路３０５により実現される。入力制御部３７は、例えば、プロセッサ３０４及びユーザインタフェース回路３０２により実現される。
【符号の説明】
【０１０４】
１０  無線通信システム
１１  コアネットワーク
２０  無線端末
３０、１３０  基地局
３１  無線通信部
３１ａ  アンテナ
３２、３４  パケット分配部
３３  有線通信部
３５  ベアラ確立部
３６  中継部
３７、１３７  入力制御部
３８  設定情報保持部
３９、１３９  中継制御部
４０  ＭＭＥ
５０  ＳＧＷ
６０  ＰＧＷ
７０  外部ネットワーク
１３８  例外情報保持部
【図１】
2018026678.tif 000003
【図２】
2018026678.tif 000004
【図３】
2018026678.tif 000005
【図４】
2018026678.tif 000006
【図５】
2018026678.tif 000007
【図６】
2018026678.tif 000008
【図７】
2018026678.tif 000009
【図８】
2018026678.tif 000010
【図９】
2018026678.tif 000011
【図１０】
2018026678.tif 000012
【図１１】
2018026678.tif 000013
【図１２】
2018026678.tif 000014
【図１３】
2018026678.tif 000015
【図１４】
2018026678.tif 000016